(57)【要約】【課題】魚の通常の引きに対しては竿の柔軟性でそれを吸収緩和しつつ、途中で魚が急な突っ込みを見せた時や想定外の大物が掛かったような場合でもそれに十分に対応することができる釣竿を提供する。【解決手段】ラインテンションが掛かって釣竿が曲がった状態において釣竿の曲がり具合が相対的に小さいときには釣り糸１を案内せず、釣竿の曲がり具合が相対的に大きくなると釣り糸１を案内する大曲がり用の釣り糸ガイドＧＢを備えている。常時案内用の釣り糸ガイドＧＡと大曲がり用の釣り糸ガイドＧＢとが交互に配置された区間Ｓを有している。【選択図】図２
2014039494.tif 000002
【特許請求の範囲】
【請求項１】
釣り糸を案内するための釣り糸ガイドが竿本体の外側に設けられた釣竿において、
ラインテンションが掛かって釣竿が曲がった状態において釣竿の曲がり具合が相対的に小さいときには釣り糸を案内せず、釣竿の曲がり具合が相対的に大きくなると釣り糸を案内する大曲がり用の釣り糸ガイドを備えていることを特徴とする釣竿。
【請求項２】
ラインテンションが掛かって釣竿が曲がった状態において釣り糸を常時案内する隣り合った二つの常時案内用の釣り糸ガイドの間に、前記大曲がり用の釣り糸ガイドが配置されている請求項１記載の釣竿。
【請求項３】
釣り糸を案内するリング部の内周面の全周のうち竿本体の表面から最も遠いガイドポイントを最遠ガイドポイントとしたとき、
釣竿が曲がっていないフリー状態において、隣り合う二つの常時案内用の釣り糸ガイドの最遠ガイドポイント同士を結んだ直線に対して、該二つの常時案内用の釣り糸ガイドの間に位置する前記大曲がり用の釣り糸ガイドの最遠ガイドポイントが外側に位置している請求項２記載の釣竿。
【請求項４】
大曲がり用の釣り糸ガイドはその両側に位置する常時案内用の釣り糸ガイドに比してリング部が大きい請求項３記載の釣竿。
【請求項５】
大曲がり用の釣り糸ガイドはその両側に位置する常時案内用の釣り糸ガイドに比してリング部を支持する脚部が長い請求項３記載の釣竿。
【請求項６】
常時案内用の釣り糸ガイドと大曲がり用の釣り糸ガイドとが交互に配置された区間を有している請求項２乃至５の何れかに記載の釣竿。
【請求項７】
ラインテンションが掛かって釣竿が曲がった状態において最も大きく曲がる区間に大曲がり用の釣り糸ガイドが配置されている請求項１乃至６の何れかに記載の釣竿。
【発明の詳細な説明】
【技術分野】
【０００１】
本発明は、釣り糸を案内する釣り糸ガイドが装着された釣竿に関する。
【背景技術】
【０００２】
釣り糸を案内する釣り糸ガイドが竿本体の外側に装着された、いわゆる外ガイド方式の釣竿は例えば磯竿等において多様され、対象魚が小さい場合に対応した比較的柔らかい調子のものから、大物用の硬いものまで多くの種類が存在している。釣り人はターゲットとなる魚種やサイズ、釣り場の状況等に応じて、更には自身の好みも加味した上で、今回の釣行に適した竿を選択する。
【０００３】
竿の調子が柔らかいと、魚とのやりとりを楽しむことができ、針掛かりした魚がばれにくくなる反面、魚に主導権を握られやすくなるので、想定以上の大物が掛かった場合や、魚が手前で急に下に突っ込んだ場合等においては、その魚の動きを止めることが難しくなり、取り込みが難しい。逆に、竿の調子が硬いと、ロッドパワーで魚を楽に浮き上がらせて引き寄せて来ることができる反面、針掛かりは若干悪くなり、魚もばれやすくなり、また魚とのやりとりを楽しむという要素も低下する。
【先行技術文献】
【特許文献】
【０００４】
【特許文献１】特開２００９−２７３４４３号公報
【発明の概要】
【発明が解決しようとする課題】
【０００５】
それゆえに本発明は上記従来の問題点に鑑みてなされ、魚の通常の引きに対しては竿の柔軟性でそれを吸収緩和しつつ、途中で魚が急な突っ込みを見せた時や想定外の大物が掛かったような場合でもそれに十分に対応することができる釣竿を提供することを課題とする。
【課題を解決するための手段】
【０００６】
外ガイド方式の釣竿においては、釣り糸ガイドの配置やサイズ等の仕様であるガイドセッティングが重要となる。同じ調子の竿本体（ブランク）であっても、装着する釣り糸ガイドの個数が少ない場合には、相対的に柔らかい調子となって竿の張った感じや腰は弱くなる。逆に、釣り糸ガイドの個数が多い場合には、相対的に硬い調子となって竿の張った感じや腰は強くなる。本発明者はこの点に着目して検討を重ねた結果、従来にはない斬新なガイドセッティングに関する本発明を完成させたものである。
【０００７】
即ち、本発明に係る釣竿は、釣り糸を案内するための釣り糸ガイドが竿本体の外側に設けられた釣竿において、ラインテンションが掛かって釣竿が曲がった状態において釣竿の曲がり具合が相対的に小さいときには釣り糸を案内せず、釣竿の曲がり具合が相対的に大きくなると釣り糸を案内する大曲がり用の釣り糸ガイドを備えていることを特徴とする。尚、ラインテンションが掛かって釣竿が曲がった状態において釣り糸を案内するとは、単に釣り糸ガイドに釣り糸が接触している状態ではなく、ラインテンションが釣り糸ガイドに作用している状態を意味する。
【０００８】
該構成の釣竿にあっては、釣竿の曲がり具合が相対的に大きくなったときに初めて釣り糸を実質上案内する大曲がり用の釣り糸ガイドを備えているので、例えば、魚が掛かってもそれほど引きが強くない場合には大曲がり用の釣り糸ガイドは釣り糸を実質上案内しない。従って、その状態では相対的に柔らかい調子となって魚の針外れを防止できる。また、想定外の大物が掛かったような場合や魚が急な突っ込みを見せたような場合において釣竿が大きく曲がると、大曲がり用の釣り糸ガイドが釣り糸を実質上案内するので、釣竿の腰が強くなり、大物の引きや急な突っ込みにも十分に対応することができる。
【０００９】
特に、ラインテンションが掛かって釣竿が曲がった状態において釣り糸を常時案内する隣り合った二つの常時案内用の釣り糸ガイドの間に、前記大曲がり用の釣り糸ガイドが配置されていることが好ましい。大曲がり用の釣り糸ガイドの配置態様は種々あるが、大曲がり用の釣り糸ガイドが連続して配置されると、常時案内用の釣り糸ガイドの間隔が長くなり、釣竿の曲がり具合が相対的に小さいときにおいて調子が柔らかくなり過ぎる。従って、隣り合う二つの常時案内用の釣り糸ガイドの間に大曲がり用の釣り糸ガイドを配置することにより、常時案内用の釣り糸ガイドの間隔が大きくなり過ぎずに適度な調子に設定することができる。
【００１０】
更に、釣り糸を案内するリング部の内周面の全周のうち竿本体の表面から最も遠いガイドポイントを最遠ガイドポイントとしたとき、釣竿が曲がっていないフリー状態において、隣り合う二つの常時案内用の釣り糸ガイドの最遠ガイドポイント同士を結んだ直線に対して、該二つの常時案内用の釣り糸ガイドの間に位置する前記大曲がり用の釣り糸ガイドの最遠ガイドポイントが外側に位置していることが好ましい。このように常時案内用の釣り糸ガイドの最遠ガイドポイント同士を結んだ直線に対して、大曲がり用の釣り糸ガイドの最遠ガイドポイントが外側に位置していることで、釣竿の曲がり具合が相対的に大きくなったときに初めて釣り糸を案内する大曲がり用の釣り糸ガイドを容易に構成できる。
【００１１】
その場合、大曲がり用の釣り糸ガイドのリング部をその両側に位置する常時案内用の釣り糸ガイドのリング部に比して大きくすることによって、簡単な構成で、常時案内用の釣り糸ガイドの最遠ガイドポイント同士を結んだ直線に対して、大曲がり用の釣り糸ガイドの最遠ガイドポイントを外側に位置させることができる。
【００１２】
同様に、大曲がり用の釣り糸ガイドの脚部をその両側に位置する常時案内用の釣り糸ガイドの脚部に比して長くすることによって、簡単な構成で、常時案内用の釣り糸ガイドの最遠ガイドポイント同士を結んだ直線に対して、大曲がり用の釣り糸ガイドの最遠ガイドポイントを外側に位置させることができる。
【００１３】
また、常時案内用の釣り糸ガイドと大曲がり用の釣り糸ガイドとが交互に配置された区間を有していることが好ましい。常時案内用の釣り糸ガイドと大曲がり用の釣り糸ガイドとを交互に配置することで、常時案内用の釣り糸ガイド同士の間隔が広がり過ぎることがなく、また、一つ置きに配置された大曲がり用の釣り糸ガイドによって急な突っ込み等に対して余裕を持って対応することができる。
【００１４】
また、ラインテンションが掛かって釣竿が曲がった状態において最も大きく曲がる区間に大曲がり用の釣り糸ガイドが配置されていることが好ましく、急な突っ込み等に対して大曲がり用の釣り糸ガイドがラインテンションを竿本体に確実に伝達する。
【発明の効果】
【００１５】
以上のように、本発明に係る釣竿にあっては、釣竿の曲がり具合が相対的に大きくなったときに初めて釣り糸を実質上案内する大曲がり用の釣り糸ガイドを備えているので、魚の通常の引きに対しては竿本体の柔軟性でそれを吸収緩和でき、また、魚が急な突っ込みを見せた時や想定外の大物が掛かったような場合でも、大曲がり用の釣り糸ガイドが釣り糸の案内に加わってラインテンションを竿本体に伝達することで十分に対応することができる。
【図面の簡単な説明】
【００１６】
【図１】本発明の一実施形態における釣竿の釣り糸ガイドの構成を説明するための図であって、（ａ）は正面図、（ｂ）は断面図。
【図２】同実施形態における釣竿のガイドセッティングを示す要部正面図。
【図３】図２のＰ部を拡大した、一部破断線を含む要部正面図。
【図４】同実施形態における釣竿が曲がった状態を示す模式図であって、（ａ）は曲がり具合が相対的に小さい場合を示し、（ｂ）は曲がり具合が相対的に大きい場合を示している。
【図５】本発明の他の実施形態における釣竿の要部を示す図２に対応した要部正面図。
【発明を実施するための形態】
【００１７】
以下、本発明の一実施形態に係る釣竿について図１乃至図４を参酌しつつ説明する。図１には本実施形態の釣竿に装着されている釣り糸ガイドＧが示されている。該釣り糸ガイドＧは、全体として三つの部分を有している。即ち、釣り糸ガイドＧは、釣り糸１を案内するためのリング部１０と、釣り糸ガイドＧを竿本体２に取り付けるための取付部１１と、リング部１０を支持すべくリング部１０と取付部１１とを連結する脚部１２とを有している。リング部１０には釣り糸１が挿通する糸挿通孔が形成されている。本実施形態においてリング部１０は竿本体２の軸線方向に対して略直角に起立しており、従って、その糸挿通孔の軸線は竿本体２の軸線方向と略平行である。取付部１１は、本実施形態では竿本体２の外周面に対して竿本体２の軸線方向にスライド移動可能である。詳細には、取付部１１は、竿本体２が挿通する竿挿通孔１３を有する筒状に形成されており、竿本体２の外周面が竿元側に向けて所定のテーパ形状で拡径していくことから、竿元側にスライドさせることで竿本体２の所定箇所に自動的に停止してそれ以上竿元側には移動できなくなる。尚、スライド移動可能な釣り糸ガイドＧを最本体２の所定箇所に停止させる構成は種々存在し、何れの構成であってもよい。脚部１２はリング部１０を支持すると共にそれ自体の竿本体２に対する起立角度によってリング部１０の竿本体２に対する傾きが決まり、また、リング部１０の竿本体２からの離間距離も決まる。
【００１８】
より具体的には、本実施形態の釣り糸ガイドＧは、フレーム２０と筒体２１とガイドリング２２とを備えている。フレーム２０は、例えばステンレスやチタン等の金属製からなり、板状に形成されていて、筒体２１を保持する部分である基部３０と、ガイドリング２２を保持する部分であるリング保持部３１と、基部３０とリング保持部３１との間に位置する脚部１２とから構成されている。基部３０には貫通孔が形成され、該貫通孔に筒体２１が挿入され固定されている。リング保持部３１にも貫通孔が形成されていて該貫通孔にガイドリング２２が挿入固定されている。筒体２１は例えば合成樹脂からなり、竿本体２が挿通する竿挿通孔１３を有している。また、ガイドリング２２は例えばセラミック等の耐摩耗性に優れた硬質材料からなる円形であって、釣り糸１が挿通する糸挿通孔を有しており、その内周面で釣り糸１を案内する。ガイドリング２２の内周面のうち竿本体２の外周面から最も遠いガイドポイントを最遠ガイドポイント３２と称することにするが、竿本体２の外周面から最遠ガイドポイント３２までの距離を図１（ｂ）に符号Ｈで示している。該竿本体２の外周面から最遠ガイドポイント３２までの距離Ｈは、主として、ガイドリング２２の大きさ即ち口径や、脚部１２の長さによって変化する。かかるフレーム２０のリング保持部３１とガイドリング２２からリング部１０が構成され、フレーム２０の基部３０と筒体２１とから取付部１１が構成される。
【００１９】
図２に一例として振り出し式の磯竿の穂先側所定領域を示している。該釣竿は、常時案内用の釣り糸ガイドＧＡの他に大曲がり用の釣り糸ガイドＧＢを備えている。常時案内用の釣り糸ガイドＧＡは、ラインテンションが掛かって釣竿が曲がった状態において常に釣り糸１を案内するものであって、従って、釣竿の曲がり具合が相対的に小さいときにも釣り糸１を案内し、釣竿の曲がり具合が相対的に大きいときにも同様に釣り糸１を案内する。この常時案内用の釣り糸ガイドＧＡは、従来と同様のガイドセッティングにおける釣り糸ガイドである。一方、大曲がり用の釣り糸ガイドＧＢは、ラインテンションが掛かって釣竿が曲がった状態において釣竿の曲がり具合が相対的に小さいときには釣り糸１を案内しないものの、そこから更に釣竿が曲がってその曲がり具合が相対的に大きくなると釣り糸１を案内するものである。
【００２０】
図２には、トップガイドとも称される一番目の常時案内用の釣り糸ガイドＧＡ１から八番目の常時案内用の釣り糸ガイドＧＡ８までを図示しているが、これら一番目から八番目の常時案内用の釣り糸ガイドＧＡ１，ＧＡ２，・・・，ＧＡ８の配置やサイズ等の仕様が一般的な磯竿におけるガイドセッティングである。この釣竿において最も大きく曲がる区間Ｓに大曲がり用の釣り糸ガイドＧＢが配置されている。このラインテンションが掛かったときに最も大きく曲がる区間Ｓは、竿本体２の調子によってその位置が変わり、先調子であれば穂先側に位置し、胴調子であれば竿元側に位置する。この区間Ｓにおいては常時案内用の釣り糸ガイドＧＡと大曲がり用の釣り糸ガイドＧＢとが交互に配置されている。即ち、五番目の常時案内用の釣り糸ガイドＧＡ５と六番目の常時案内用の釣り糸ガイドＧＡ６との間に一番目の大曲がり用の釣り糸ガイドＧＢ１が配置され、六番目の常時案内用の釣り糸ガイドＧＡ６と七番目の常時案内用の釣り糸ガイドＧＡ７との間に二番目の大曲がり用の釣り糸ガイドＧＢ２が配置され、七番目の常時案内用の釣り糸ガイドＧＡ７と八番目の常時案内用の釣り糸ガイドＧＡ８との間に三番目の大曲がり用の釣り糸ガイドＧＢ３が配置されている。これら一番目から三番目の大曲がり用の釣り糸ガイドＧＢ１，ＧＢ２，ＧＢ３は、五番目から八番目の常時案内用の釣り糸ガイドＧＡ５，ＧＡ６，ＧＡ７，ＧＡ８の配置や互いの離間距離を変更することなく、それらの間に割り込む形で配置されている。従って、この区間Ｓ（五番目から八番目の常時案内用の釣り糸ガイドＧＡ５，ＧＡ６，ＧＡ７，ＧＡ８）においては、釣り糸ガイドＧが密に配置されることになり、特に、五番目の常時案内用の釣り糸ガイドＧＡ５と一番目の大曲がり用の釣り糸ガイドＧＢ１との間のガイド間距離Ｌ１（離間距離）は、その前側のガイド間距離Ｌ２、即ち、四番目の常時案内用の釣り糸ガイドＧＡ４と五番目の常時案内用の釣り糸ガイドＧＡ５との間のガイド間距離Ｌ２よりも短くなっていて、竿元側に向かってガイド間距離が徐々に長くなっていくという通常のガイドセッティングとは逆になっている。
【００２１】
大曲がり用の釣り糸ガイドＧＢについて更に説明する。図３に図２のＰ部拡大図を示しているが、大曲がり用の釣り糸ガイドＧＢはその両側に位置する常時案内用の釣り糸ガイドＧＡに比してガイドリング２２の口径が大きい。常時案内用の釣り糸ガイドＧＡの場合には竿元側に向かって徐々にガイドリング２２の口径が大きくなっていくか、あるいは、一つ前側の常時案内用の釣り糸ガイドＧＡにおけるガイドリング２２と同じ口径のガイドリング２２が使用されるが、本実施形態における大曲がり用の釣り糸ガイドＧＢにおいてはそのガイドリング２２が、その前側の常時案内用の釣り糸ガイドＧＡにおけるガイドリング２２よりも大きい口径のものであるのみならず、その後側の常時案内用の釣り糸ガイドＧＡにおけるガイドリング２２よりも大きい口径のものとなっている。その結果、ラインテンションが掛からないフリー状態において、前側の常時案内用の釣り糸ガイドＧＡにおける最遠ガイドポイント３２と、後側の常時案内用の釣り糸ガイドＧＡにおける最遠ガイドポイント３２とを直線３３で結んだときに、その直線３３に対して、大曲がり用の釣り糸ガイドＧＢにおける最遠ガイドポイント３２が外側に位置することになる。この関係は、一番目から三番目の大曲がり用の釣り糸ガイドＧＢ，ＧＢ２，ＧＢ３の何れにも当てはまることである。
【００２２】
以上のような構成の釣竿において魚が針掛かりして釣り糸１にラインテンションが掛かったときの状態を図４を用いて更に詳述する。尚、図４では竿本体２をその軸線のみを一点鎖線で示している。図４（ａ）のように、比較的曲がり具合が小さいときにおいては、常時案内用の釣り糸ガイドＧＡのみが釣り糸１を案内する。釣り糸１のラインテンションは常時案内用の釣り糸ガイドＧＡから竿本体２へと伝達される。この状態においては大曲がり用の釣り糸ガイドＧＢのガイドリング２２は釣り糸１を実質上案内せず、従って、その大曲がり用の釣り糸ガイドＧＢにはラインテンションが作用しない。
【００２３】
一方、魚が急な突っ込みを見せた場合や想定外の大物が掛かったような場合等において釣竿が図４（ｂ）のように大きく曲がると、そこで初めて大曲がり用の釣り糸ガイドＧＢも釣り糸１を案内する。従って、大曲がり用の釣り糸ガイドＧＢにもラインテンションが作用し、そのラインテンションは大曲がり用の釣り糸ガイドＧＢからも竿本体２へと伝達される。大曲がり用の釣り糸ガイドＧＢが存在しない従来の釣竿の場合には図４に二点鎖線で示しているように前後二つの常時案内用の釣り糸ガイドＧＡのみによって釣り糸１が案内されるので、その分、竿本体２へのラインテンションの伝達が少なくなって相対的に腰が弱い状態となり、魚の急な突っ込み等に対応することが難しい。それに対して大曲がり用の釣り糸ガイドＧＢが釣り糸１の案内に参加すると、釣り糸１を案内する釣り糸ガイドＧの個数が増加するため、ラインテンションが竿本体２に十分に伝達されることになり、魚の急な突っ込みに対しても十分なロッドパワーで対応することができる。このように大曲がり用の釣り糸ガイドＧＢを配置することで、魚の引きが大きくなるとそれに対応してロッドパワーが一段大きくなったような使用感が得られる。
【００２４】
また、前後一対の常時案内用の釣り糸ガイドＧＡの間に大曲がり用の釣り糸ガイドＧＢを配置しているので、常時案内用の釣り糸ガイドＧＡ同士の間隔が大きくなり過ぎず、通常の引きに対しては適度に腰がある調子に設定できる。特に、大曲がり用の釣り糸ガイドＧＢを配置することによって釣り糸ガイドＧを密にしてガイド間距離を短くするようにしているので、通常の引きに対して従来のガイドセッティングと同様の釣竿の腰を確保できる。
【００２５】
更に、ラインテンションが掛かって釣竿が曲がった状態において最も大きく曲がる区間Ｓに常時案内用の釣り糸ガイドＧＡと大曲がり用の釣り糸ガイドＧＢとが交互に配置されているので、通常の引きに対する釣竿の腰を維持しつつも急な突っ込みや大物の引きに対しても十分にロッドパワーを発揮してそれに対応することができる。
【００２６】
また、大曲がり用の釣り糸ガイドＧＢのガイドリング２２として、その前後の常時案内用の釣り糸ガイドＧＡに比して大口径のものを採用しているので、複雑な構成を採用しなくても、釣竿の曲がり具合が大きくなったときに初めて釣り糸１を案内することができる。しかも、大曲がり用の釣り糸ガイドＧＢにおけるガイドリング２２の口径を大きくすることで、キャスト時のライン抵抗が過度に増加することもない。
【００２７】
尚、ガイドリング２２の口径を大きくすること以外の構成を採用してもよい。例えば、図５のように大曲がり用の釣り糸ガイドＧＢのガイドリング２２については前後の常時案内用の釣り糸ガイドＧＡのそれと同様の口径とする一方で、大曲がり用の釣り糸ガイドＧＢの脚部１２については前後の常時案内用の釣り糸ガイドＧＡのそれよりも長くすることができる。このように大曲がり用の釣り糸ガイドＧＢの脚部１２を相対的に長くすることによっても、前後の常時案内用の釣り糸ガイドＧＡの最遠ガイドポイント３２同士を結んだ直線３３に対して、大曲がり用の釣り糸ガイドＧＢの最遠ガイドポイント３２を外側に位置させることができる。また、大曲がり用の釣り糸ガイドＧＢの脚部１２を相対的に長くすると共にそのガイドリング２２の口径についても相対的に大きいものとしてもよい。複数の大曲がり用の釣り糸ガイドＧＢを設ける場合には、ガイドリング２２の口径と脚部１２の長さを種々組み合わせて使用してもよい。何れにしても、図１（ｂ）に示したように、竿本体２の外周面から最遠ガイドポイント３２までの距離Ｈをガイドリング２２の口径や脚部１２の長さによって設定するようにする。
【００２８】
また更に、上記実施形態では常時案内用の釣り糸ガイドＧＡの間にガイド間距離を詰めるように大曲がり用の釣り糸ガイドＧＢを配置したが、必ずしもそのような構成には限られず、常時案内用の釣り糸ガイドＧＡに代えてその位置に大曲がり用の釣り糸ガイドＧＢを配置するようにしてもよい。また、大曲がり用の釣り糸ガイドＧＢを複数備える場合において、該複数の大曲がり用の釣り糸ガイドＧＢが全て同じタイミングで案内し始めるものであってもよいが、釣竿の曲がり具合に応じて釣り糸１を案内する大曲がり用の釣り糸ガイドＧＢの個数が増加する構成とすれば、見かけ上のロッドパワーが段階的に増加する使用感が得られる。
【００２９】
尚、釣り糸ガイドＧの構成についても種々のタイプであってよい。上述したようないわゆるスライドガイドの他、固定糸で竿本体２に巻き付けられて移動不能に固定される固定ガイドであってもよい。また、脚部１２についても種々変更可能であって、左右に分かれた二本脚タイプであってもよいし、中央に一本のみ存在する一本脚タイプであってもよい。また、前後に脚部１２が設けられた、いわゆるダブルフットタイプであってもよい。ガイドリング２２も円形のみならず楕円形や長孔等の異形のものであってもよい。また、フレーム２０とガイドリング２２とが別体構成のものではなく、一つの部材として一体構成されたものであってもよく、筒体２１も同様にフレーム２０と一体構成としてもよい。
【００３０】
また更に、上記実施形態では、リング部１０が竿本体２の軸線方向に対して略直角に起立して設けられていたが、この構成には限られず、リング部１０が竿本体２に対して傾斜して起立していてもよい。
【００３１】
また、釣竿のタイプも任意であって上述したような振り出し式の他、並継ぎの釣竿であってもよいし、ワンピースロッドであってもよい。
【符号の説明】
【００３２】
１    釣り糸
２    竿本体
１０    リング部
１１    取付部
１２    脚部
１３    竿挿通孔
２０    フレーム
２１    筒体
２２    ガイドリング
３０    基部
３１    リング保持部
３２    最遠ガイドポイント
３３    直線
Ｇ    釣り糸ガイド
ＧＡ  常時案内用の釣り糸ガイド
ＧＢ  大曲がり用の釣り糸ガイド
Ｌ１  ガイド間距離
Ｌ２  ガイド間距離
Ｓ  区間
【図１】
2014039494.tif 000003
【図２】
2014039494.tif 000004
【図３】
2014039494.tif 000005
【図４】
2014039494.tif 000006
【図５】
2014039494.tif 000007